(57)【特許請求の範囲】
【請求項１】
対物レンズを搭載した浮上ベースが、支持基台から延びる弾性材により浮上支持され、前記浮上ベースを補正動作させる磁気駆動部が設けられた光ピックアップにおいて、
前記支持基台には、前記弾性材の長手方向と同方向に貫通するとともに前記弾性材が挿入される凹部が形成されて、この凹部内に前記弾性材の動きを抑制するダンパー剤が注入されており、前記凹部の開口縁部の一部に、前記開口縁部の他の部分よりも前記長手方向に突出する突部が形成されていることを特徴とする光ピックアップ。
【請求項２】
前記突部は、前記支持基台と前記浮上ベースとの間隙を覆う位置でダンパー剤を注入するディスペンサに対向できる位置に形成されている請求項１記載の光ピックアップ。
【請求項３】
前記支持基台が合成樹脂製であり、前記突部が支持基台に一体に突出形成されている請求項１または２記載の光ピックアップ。
【請求項４】
前記突部の凹部側に向く面が、突部の先端に向かって前記凹部から離れる方向に傾斜する傾斜面を有している請求項１ないし３のいずれかに記載の光ピックアップ。
【請求項５】
前記傾斜面が、前記凹部の内壁面に連続した面である請求項４記載の光ピックアップ。
【発明の詳細な説明】
【０００１】
【発明の属する技術分野】
本発明は、ＣＤプレーヤ、ＣＤ−ＲＯＭ装置、ＭＤ装置などに用いられる光ピックアップに係り、特に、対物レンズを搭載した浮上ベースが弾性材により可動できるように支持されている光ピックアップに関する。
【０００２】
【従来の技術】
図２は、本発明との比較例となるＣＤプレーヤ用の光ピックアップの構造を示すものであり、（Ａ）は平面図、（Ｂ）は側面図である。
この光ピックアップ１は、光ディスクに沿って移動する移動ベース７上に支持基台４が固定されている。また移動ベース７には、コの字形状のヨーク５が固定されてこれに磁石６ａ、６ｂが支持されている。浮上ベース３の貫通孔３ａの内周部分にはフォーカスコイルＣ１が埋設され、このフォーカスコイルＣ１の側面には一対のトラッキングコイルＣ２、Ｃ３が設けられている。コイルＣ１、Ｃ２、Ｃ３は、前記磁石６ａと６ｂの間に位置して磁気駆動部Ａが構成されている。フォーカスコイルＣ１にてＹ方向に流れる電流と、磁石６ａと６ｂ間の磁界とで、Ｚ方向への電磁力が発生し、これにより浮上ベース３に保持された対物レンズ２のフォーカス補正が行われる。またトラッキングコイルＣ２とＣ３にてＺ方向に流れる電流によりＹ方向への電磁力が発生し、これにより対物レンズ２のトラッキング補正が行われる。
【０００３】
移動ベース７上に固定された支持基台４の両側には、Ｘ方向へ貫通し且つＺ方向へ長穴状の開口面積を有する凹部４ａ、４ａが貫通形成され、その背部には基板１０が設けられている。前記浮上ベース３を支持する弾性材Ｗは、４本の弾性ワイヤーであり、弾性材Ｗは２本が組となって前記凹部４ａ内に挿入され、その基端が前記基板１０の導電パターン部分に半田９で固定されている。浮上ベース３の両側面には基板８、８が設けられ、前記弾性材Ｗの先端は各基板８の導電パターン部分に半田８ａで固定されている。この４本の弾性材Ｗにより浮上ベース３は可動自在に弾性支持されている。
【０００４】
また支持基台４の前記凹部４ａ、４ａ内にはゲル状のダンパー剤が注入されており、このダンパー剤により、前記弾性材Ｗの動きが抑制されて、フォーカス補正およびトラッキング補正の際の、浮上ベース３の慣性力などによる必要以上の動き、および不要な方向への動きが抑制されている。
【０００５】
【発明が解決しようとする課題】
前記支持基台４の凹部４ａ内のダンパー剤は紫外線硬化性を有するものであり、液状にて注入され、注入後に紫外線を照射することによりゲル状となる。このダンパー剤は、スポイト状のディスペンサにより前記凹部４ａ内に注入される。ただし、この注入作業は光ピックアップが図２に示す状態に組立てられた状態で、即ち凹部４ａ内にワイヤー状の弾性材Ｗが２本ずつ挿入された状態で行われる。また凹部４ａの開口面積は非常に狭い。そのためにダンパー剤の注入作業が行いにくく、注入するダンパー剤が凹部４ａ外へはみ出すことが頻繁にある。ダンパー剤が凹部４ａ以外の部分に付着しゲル状に固まってしまうと、これを除去するのが面倒である。特に浮上ベース３と支持基台４との間の符号（イ）で示す隙間にダンパー剤が付着すると、これを除去するのが難しく、組立て作業の効率を低下させる原因となる。
【０００６】
本発明は上記従来の課題を解決するものであり、ダンパー剤の注入作業を容易にし、且つダンパー剤が外部にはみ出しにくいようにした光ピックアップを提供することを目的としている。
【０００７】
【課題を解決するための手段】
本発明は、対物レンズを搭載した浮上ベースが、支持基台から延びる弾性材により浮上支持され、前記浮上ベースを補正動作させる磁気駆動部が設けられた光ピックアップにおいて、
前記支持基台には、前記弾性材の長手方向と同方向に貫通するとともに前記弾性材が挿入される凹部が形成されて、この凹部内に前記弾性材の動きを抑制するダンパー剤が注入されており、前記凹部の開口縁部の一部に、前記開口縁部の他の部分よりも前記長手方向に突出する突部が形成されていることを特徴とするものである。
【０００８】
上記において、前記突部は、前記支持基台と前記浮上ベースとの間隙を覆う位置でダンパー剤を注入するディスペンサに対向できる位置に形成されていることが好ましい。
また前記支持基台が合成樹脂製であり、前記突部が支持基台に一体に突出形成されているものが好ましい。
また前記突部の凹部側に向く面が、突部の先端に向かって前記凹部から離れる方向に傾斜する傾斜面を有していることが好ましく、より好ましくは前記傾斜面が、前記凹部の内壁面に連続した面である。
【０００９】
本発明では、支持基台の凹部内にダンパー剤を注入するときに、凹部の開口縁部に設けられた突部を受け面として使用し、この受け面の部分から凹部内にダンパー剤を注入することができる。突部を受け面として使用すると、まず注入作業の際に、ディスペンサの先部を凹部に向ける際の基準が明確になって作業を行いやすく、またダンパー剤を凹部内に確実に注入できる。また凹部内に注入するダンパー剤が多く、凹部からダンパー剤があふれたとき、前記突部が堰となり、他の部分に流れ出るのを防止できる。特に、突部を浮上ベース側に形成することにより、支持基台と浮上ベースとの隙間部分にダンパー剤が入り込むのを防止できる。
【００１０】
【発明の実施の形態】
図１（Ａ）は本発明の光ピックアップの平面図、図１（Ｂ）はその側面図である。
この光ピックアップ１の基本的な構造は、図２（Ａ）（Ｂ）に示したものと同じであり、移動ベース７上に固定される支持基台２４の形状のみが相違している。この支持基台２４は前記移動ベース７上に固定され、また磁石６ａと６ｂを支持するヨーク５も移動ベース７上に固定されている。浮上ベース３は合成樹脂製であり、これには対物レンズ２が搭載されているとともに、フォーカスコイルＣ１とトラキングコイルＣ２、Ｃ３が保持されている。
【００１１】
フォーカスコイルＣ１の一部と、各トラッキングコイルＣ２、Ｃ３の一部は、前記磁石６ａと磁石６ｂの間に位置している。
浮上ベース３は、支持基台２４に対し４本の弾性材Ｗすなわちワイヤダンパーにより各方向へ移動できるように弾性的に浮上支持されている。前記各コイルに流れる電流と磁石間の磁界との電磁力により、浮上状態の浮上ベース３がＺ方向へフォーカス補正駆動され、Ｙ方向へトラッキング補正駆動される。
【００１２】
弾性材Ｗは、支持基台２４において、Ｚ方向へ長穴状で且つＸ方向へ貫通した凹部２４ａ内に挿入されている。支持基台２４のＸ（−）側の端部には基板１０が固定され、各弾性材Ｗの基端は、この基板１０のスルーホール１０ａ、１０ａに挿入され、導体パターンに半田９で固定されている。また弾性材Ｗの先端は、浮上ベース３に設けられた基板８の導体パターンに半田８ａで固定されている。この例では、基板１０から各弾性材Ｗを経て、さらに基板８の導体パターンから各コイルＣ１、Ｃ２、Ｃ３に制御電流が与えられるものとなっている。
【００１３】
前記支持基台２４は合成樹脂製であり、そのＸ（＋）側の端面では、凹部２４ａの開口部の縁部に連続する突部２４ｂが一体に突出成形されている。この突部２４ｂは図１（Ｂ）に示すように、凹部２４ａの開口部よりも長く、支持基台２４のＺ方向の全長にわたって形成されている。また、この突部２４ｂは、支持基台２４と浮上ベース３との間隙（イ）の側に堰を形成する状態で設けられている。また突部２４ｂは、支持基台２４のＹ方向両側に向く部分が傾斜面状の受け面２４ｃとなっている。この受け面２４ｃは、凹部２４ａの内壁面に連続した面となっている。
【００１４】
光ピックアップ１が図１に示す状態に組立てられ、弾性材Ｗが凹部２４ａ内に挿入されて基板１０に固定された状態で、凹部２４ａ内へダンパー剤が注入される。ここで使用するダンパー剤は紫外線硬化性を有するもので、注入時には液状であり、その後紫外線を照射することにより凹部２４ａ内で固まってゲル状になる。弾性材Ｗが凹部２４ａ内でこのゲル状のダンパー剤で囲まれることにより、浮上ベース３の余分な動作が抑制される。なお、ダンパー剤注入作業は、基板１０を重力方向に向けた状態、即ち凹部２４ａの開口部を上に向けた状態で行われる。
【００１５】
液状のダンパー剤はスポイト状のディスペンサ２０により注入される。ディスペンサ２０の先部２０ａは、Ｚ方向に並ぶ一対の弾性材Ｗの中間から突部２４ｂの受け面２４ｃに向けられる。そして、この受け面２４ｃを案内部としてダンパー剤が凹部２４ａ内に注入される。ディスペンサ２０の先部２０ａを受け面２４ｃに向けて、あるいは先部２０ａの先端を受け面２４ｃに当接させてダンパー剤を注入すると、先部２０ａの位置合わせが容易になって作業性がよく、また凹部２４ａからダンパー剤があふれ出したときに、このあふれ出たダンパー剤を受け面２４ｃと凹部２４ａとの境界部である（ロ）の部分に留めることができ、ダンパー剤が他の部分、例えば支持基台２４と浮上ベース３との境界となる間隙（イ）の部分に流れ出て付着するのを防止できる。
【００１６】
なお、図１の実施例では受け面２４ｃが凹部２４ａの内壁面と連続しているが、受け面２４ｃすなわち突部２４ｂの側面が凹部２４ａの開口部から若干離れていてもよい。また突部２４ｂのＺ方向の長さとしては、少なくとも凹部２４ａの開口部の長さ以上であることが好ましい。ただし、ディスペンサ２０の先部２０ａが対向する部分のみに部分的に突部が形成されていてもよい。また、ダンパー剤は紫外線硬化型以外の温度（湿度）硬化型のものであってもよい。
【００１７】
【発明の効果】
以上のように本発明では、支持基台の凹部にダンパー剤を注入するときに、突部を受け面として利用できるため、ダンパー剤の注入作業が容易であり、注入されたダンパー剤が凹部からはみ出しても、これが他の部分に流れることがない。よって、注入作業後に余分な除去作業などが不要になり、作業性を向上できる。
【図面の簡単な説明】
【図１】本発明の光ピックアップを示し、（Ａ）は平面図、（Ｂ）は側面図、
【図２】本発明と比較する光ピックアップを示し、（Ａ）は平面図、（Ｂ）は側面図、
【符号の説明】
１  光ピックアップ
２  対物レンズ
３  浮上ベース
５  ヨーク
６ａ、６ｂ  磁石
７  移動ベース
８、１０  基板
２４  支持基台
２４ａ  凹部
２４ｂ  突部
２４ｃ  受け面
２０  ディスペンサ
Ａ  磁気駆動部
Ｃ１、Ｃ２、Ｃ３  コイル
Ｗ  弾性材
【図１】
0003592412.tif 000002
【図２】
0003592412.tif 000003